(57)【要約】【課題】経年変化による管球部及び封止部の変色及び劣化を防止するとともにトリガー線を設けることによる効果を長期間維持可能な光源装置を提供する。【解決手段】管球部１１０と、第１電極１２１及び第２電極１２２と、第１金属箔１３１及び第２金属箔１３２と、第１封止部１４１及び第２封止部１４２と、第１リード線１５１及び第２リード線１５２とを有する発光管１００を備える光源装置であって、第１封止部１４１に接続される第１トリガー線２１０及び第２封止部１４２に接続される第２トリガー線２２０をさらに有し、第１トリガー線２１０は管球部１１０と第１封止部１４１との境界部Ａ１から所定長さ離間した位置Ａ２に一端側が接続され、他端側が第２リード線１５２に接続され、第２トリガー線２２０は管球部１１０と第２封止部１４２との境界部Ｂ１から所定長さ離間した位置Ｂ２に一端側が接続され、他端側が第２リード線１５２に接続される。【選択図】図６
2011138714.tif 000002
【特許請求の範囲】
【請求項１】
管球部と、前記管球部に内蔵される第１電極及び第２電極と、前記第１電極に電気的に
接続される第１金属箔と、前記第２電極に電気的に接続される第２金属箔と、前記第１金
属箔を封止する第１封止部と、前記第２金属箔を封止する第２封止部と、前記第１金属箔
に電気的に接続されて前記第１封止部から外部に突出する第１リード線と、前記第２金属
箔に電気的に接続されて前記第２封止部から外部に突出する第２リード線とを有する発光
管を備える光源装置であって、
前記発光管の放電開始を補助するために前記第１封止部に接続される第１トリガー線及
び前記第２封止部に接続される第２トリガー線をさらに有し、
前記第１トリガー線は、前記管球部と前記第１封止部との境界部を第１境界部としたと
き、前記第１境界部から所定長さだけ離間した位置に一端側が接続され、他端側が前記第
２リード線に電気的に接続され、
前記第２トリガー線は、前記管球部と前記第２封止部との境界部を第２境界部としたと
き、前記第２境界部から所定長さだけ離間した位置に一端側が接続され、他端側が前記第
２リード線に電気的に接続されることを特徴とする光源装置。
【請求項２】
請求項１に記載の光源装置において、
前記第１トリガー線の一端側が接続される位置及び前記第２トリガー線の一端側が接続
される位置は、
前記第１境界部から当該第１境界部の反対側の前記第１封止部の端部までの長さ及び前
記第２境界部から当該第２境界部の反対側の前記第２封止部の端部までの長さをそれぞれ
「Ｌ」としたとき、前記第１境界部及び第２境界部からそれぞれ略Ｌ／４以上離間した位
置とすることを特徴とする光源装置。
【請求項３】
請求項１又は２に記載の光源装置において、
前記第１電極及び第２電極の間には、１ＫＨｚから３０ＭＨｚの周波数を有する交流波
が与えられることを特徴とする光源装置。
【請求項４】
請求項１〜３のいずれかに記載の光源装置において、
前記第１封止部に取り付けられて、前記発光管から射出される光を被照明領域側に反射
する主反射鏡をさらに有し、
前記第１トリガー線は、当該第１トリガー線の前記一端側と前記他端側との間の少なく
とも一部が前記主反射鏡の背面側を通るように配線されることを特徴とする光源装置。
【請求項５】
請求項４に記載の光源装置において、
前記第１トリガー線の前記一端側が前記主反射鏡の反射面側において前記第１封止部に
接続されている場合、前記第１トリガー線は、前記一端側から前記主反射鏡を貫通して前
記主反射鏡の背面側を通って前記他端側が前記第２リード線に接続されることを特徴とす
る光源装置。
【請求項６】
請求項４又は５に記載の光源装置において、
前記主反射鏡の反射面と対向する反射面を有する副反射鏡が前記第２封止部に取り付け
られ、前記第２トリガー線は、前記副反射鏡の背面側において前記第２封止部に接続され
ることを特徴とする光源装置。
【請求項７】
管球部と、前記管球部に内蔵される第１電極及び第２電極と、前記第１電極に電気的に
接続される第１金属箔と、前記第２電極に電気的に接続される第２金属箔と、前記第１金
属箔を封止する第１封止部と、前記第２金属箔を封止する第２封止部と、前記第１金属箔
に電気的に接続されて前記第１封止部から外部に突出する第１リード線と、前記第２金属
箔に電気的に接続されて前記第２封止部から外部に突出する第２リード線とを有する発光
管を備える光源装置であって、
前記発光管の放電開始を補助するために前記第１封止部に接続されるトリガー線をさら
に有し、
前記トリガー線は、前記管球部と前記第１封止部との境界部を第１境界部としたとき、
前記第１境界部から所定長さだけ離間した位置に一端側が接続され、他端側が前記第２リ
ード線に電気的に接続されることを特徴とする光源装置。
【請求項８】
光源装置と、前記光源装置からの光を画像情報に基づいて変調する光変調素子と、前記
光変調素子によって変調された光を投写画像として投写する投写光学系とを備えるプロジ
ェクターであって、
前記光源装置として、前記請求項１〜７のいずれかの光源装置を用いたことを特徴とす
るプロジェクター。
【発明の詳細な説明】
【技術分野】
【０００１】
本発明は、光源装置及びプロジェクターに関する。
【背景技術】
【０００２】
プロジェクターの光源装置として、発光管の放電開始を補助することによって点灯始動
性の改善を図るためのトリガー線を設けた光源装置が知られている（例えば、特許文献１
及び特許文献２参照。）。トリガー線を設けることによって得られる効果としては、光源
装置の点灯始動時に必要な電圧（点灯始動電圧という。）を１０％以上低下できることが
挙げられる。このため、パルス状の交流電圧による点灯始動時においては、パルス数が少
なくて済み、いわゆる点灯始動性の向上が図れるとともに、光源装置の量産時においては
、個々の光源装置の点灯始動電圧にバラつきが生じた場合でも、そのバラツキを吸収でき
るといった効果もある。
【先行技術文献】
【特許文献】
【０００３】
【特許文献１】特開平９−９７５９１号公報
【特許文献２】特開２００５−３２５２１号公報
【発明の概要】
【発明が解決しようとする課題】
【０００４】
特許文献１に記載されている技術（第１従来技術という。）及び特許文献２に記載され
ている技術（第２従来技術という。）においては、トリガー線は、管球部を跨ぐように配
線され、かつ、一端側が管球部と封止部との境界部に所定の締め付け力によって巻回され
た状態で接続されている。このため、光源装置の点灯時においては、管球部が高温となり
、トリガー線が管球部の熱に直接的に晒されることとなる。トリガー線が熱に直接的に晒
されると、トリガー線の材質（例えば、ステンレスなど）も影響して、石英ガラスなどで
なる管球部及び封止部の表面を変色させてしまうといった問題がある。管球部が変色した
場合、管球部を透過する光の損失につながる。
【０００５】
また、管球部が高温となると、封止部における管球部との境界部付近も当然のことなが
ら高温となり、特に、トリガー線が接続されている部分（接続部という。）において封止
部が変色してしまうこととなる。また、点灯時と非点灯時との温度差も激しいため、点灯
／非点灯が長期間において繰り返されると、トリガー線の接続部において、トリガー線及
び封止部の熱膨張／収縮が繰り返されることにより、トリガー線の接続部におけるトリガ
ー線の締め付け状態が変化してくる。
【０００６】
なお、トリガー線を設けることによって得られる効果すなわち発光管の点灯始動性の改
善を図るといった効果を長期間維持するためには、トリガー線は所定の締め付け力によっ
て巻回された状態で接続されている必要があるが、トリガー線の接続部におけるトリガー
線の締め付け状態が変化してくると、トリガー線を設けることによって得られる効果を長
期間維持できなくなるといった問題もある。
【０００７】
また、トリガー線は、管球部を跨いで配線されるため、管球部からの光の一部がトリガ
ー線によって阻害されて光の損失が生じるおそれもある。特に、トリガー線が管球部の表
面に近い位置で配線されると、光の損失はより大きなものとなる。
【０００８】
そこで本発明は、少なくとも、経年変化による管球部及び封止部の変色及び劣化を防止
するとともに、トリガー線を設けることによって得られる効果を長期間維持することがで
きる光源装置を提供することを目的とする。また、当該光源装置を用いることにより信頼
性の高いプロジェクターを提供することを目的とする。
【課題を解決するための手段】
【０００９】
本発明の光源装置は、管球部と、前記管球部に内蔵される第１電極及び第２電極と、前
記第１電極に電気的に接続される第１金属箔と、前記第２電極に電気的に接続される第２
金属箔と、前記第１金属箔を封止する第１封止部と、前記第２金属箔を封止する第２封止
部と、前記第１金属箔に電気的に接続されて前記第１封止部から外部に突出する第１リー
ド線と、前記第２金属箔に電気的に接続されて前記第２封止部から外部に突出する第２リ
ード線とを有する発光管を備える光源装置であって、前記発光管の放電開始を補助するた
めに前記第１封止部に接続される第１トリガー線及び前記第２封止部に接続される第２ト
リガー線をさらに有し、前記第１トリガー線は、前記管球部と前記第１封止部との境界部
を第１境界部としたとき、前記第１境界部から所定長さだけ離間した位置に一端側が接続
され、他端側が前記第２リード線に電気的に接続され、前記第２トリガー線は、前記管球
部と前記第２封止部との境界部を第２境界部としたとき、前記第２境界部から所定長さだ
け離間した位置に一端側が接続され、他端側が前記第２リード線に電気的に接続されるこ
とを特徴とする。
【００１０】
このように、本発明の光源装置は、トリガー線（第１トリガー線及び第２トリガー線）
を封止部（第１封止部及び第２封止部）に接続する際、管球部と封止部との境界部（第１
境界部及び第２境界部）から所定長さだけ離間した位置に接続するようにしている。これ
は、トリガー線を封止部に接続する際、管球部と封止部との境界部から所定長さだけ離間
した位置に接続しても、点灯始動性の改善が図れることが確認できたためである。このよ
うな構成とすることにより、トリガー線が管球部からの熱に直接的に晒されることを防止
でき、経年変化による管球部及び封止部の変色及び劣化を抑制することができるとともに
、トリガー線を設けることによって得られる効果を長期間維持することができる。
【００１１】
本発明の光源装置においては、前記第１トリガー線の一端側が接続される位置及び前記
第２トリガー線の一端側が接続される位置は、前記第１境界部から当該第１境界部の反対
側の前記第１封止部の端部までの長さ及び前記第２境界部から当該第２境界部の反対側の
前記第２封止部の端部までの長さをそれぞれ「Ｌ」としたとき、前記第１境界部及び第２
境界部からそれぞれ略Ｌ／４以上離間した位置とすることが好ましい。
【００１２】
このように、トリガー線（第１トリガー線及び第２トリガー線）を封止部（第１封止部
及び第２封止部）に接続する際の接続位置を管球部と封止部との境界部（第１境界部及び
第２境界部）からそれぞれ略Ｌ／４以上離間した位置とすることによって、トリガー線が
管球部の熱によって劣化することを抑制することができる。なお、トリガー線の接続位置
を、第１境界部及び第２境界部からそれぞれ略Ｌ／４以上離間した位置としたのは、第１
境界部及び第２境界部からそれぞれ略Ｌ／４離間した位置においては、管球部の温度がト
リガー線の劣化を抑制できる温度にまで低下することが確認され、かつ、点灯始動電圧の
改善という点においても有効であることが確認されたことによるものである。
【００１３】
本発明の光源装置においては、前記第１電極及び第２電極の間には、１ＫＨｚから３０
ＭＨｚの周波数を有する交流波が与えられることが好ましい。
【００１４】
第１電極及び第２電極の間に与える交流波の周波数をこのような範囲の周波数とするこ
とにより、放電開始を適切に行うことができる。すなわち、第１電極及び第２電極の間の
グロー放電が開始される前に、一方の電極から管球部表面に沿った沿面放電が他方の電極
に向かって発生し、それがいわゆる種火となってグロー放電が開始されると考えられ、こ
の沿面放電は単位時間当たりの電圧変化が大きいほど低電圧で進展が可能となるので、結
果として周波数が高いほど、低電圧で沿面放電の発生及び進展が可能となるが、過剰に高
い周波数では、いわゆるインピーダンス整合の課題と、配線における寄生インピーダンス
及び配線長の影響の問題がある。これらの点を考慮して、印加電圧の周波数は１ＫＨｚか
ら３０ＭＨｚ程度の範囲とすることが好ましいとの結論を得た。
【００１５】
本発明の光源装置においては、前記第１封止部に取り付けられて、前記管球部から射出
される光を被照明領域側に反射する主反射鏡をさらに有し、前記第１トリガー線は、当該
第１トリガー線の前記一端側と前記他端側との間の少なくとも一部が前記主反射鏡の背面
側を通るように配線されることが好ましい。
【００１６】
第１トリガー線をこのように配線することにより、第１トリガー線は、発光管から離れ
た位置に存在することとなるので、管球部からの光の一部が第１トリガー線によって阻害
されることを極力防止することができる。また、第１トリガー線が管球部の表面から離れ
ることにより、第１トリガー線が管球部の熱に直接的に晒されることがなくなり、第１ト
リガー線の劣化を抑制するとともに、第１トリガー線が高温となることによる管球部及び
封止部に及ぼす悪影響を抑制することができる。
【００１７】
本発明の光源装置においては、前記第１トリガー線の前記一端側が前記主反射鏡の反射
面側において前記第１封止部に接続されている場合、前記第１トリガー線は、前記一端側
から前記主反射鏡を貫通して前記主反射鏡の背面側を通って前記他端側が前記第２リード
線に接続されることが好ましい。
【００１８】
このように、第１トリガー線が主反射鏡を貫通して配線されることにより、第１トリガ
ー線が主反射鏡の背面側を通るような配線とすることができる。なお、主反射鏡を貫通さ
せる際の孔は、主反射鏡に元々設けられている第１封止部が挿通される挿通孔を利用する
ことができる。
【００１９】
本発明の光源装置においては、前記主反射鏡の反射面と対向する反射面を有する副反射
鏡が前記第２封止部に取り付けられ、前記第２トリガー線は、前記副反射鏡の背面側にお
いて前記第２封止部に接続されることが好ましい。
【００２０】
このように、副反射鏡を有する光源装置においては、第２トリガー線を第２封止部に説
接続する際は、副反射鏡よりも前記第２リード線側すなわち副反射鏡の背面側に第２トリ
ガー線を接続することによって、第２トリガー線２２０が受ける管球部１１０の熱の影響
をより小さくすることができる。
【００２１】
本発明の光源装置の他の態様（本発明の光源装置の第２態様という。）は、管球部と、
前記管球部に内蔵される第１電極及び第２電極と、前記第１電極に電気的に接続される第
１金属箔と、前記第２電極に電気的に接続される第２金属箔と、前記第１金属箔を封止す
る第１封止部と、前記第２金属箔を封止する第２封止部と、前記第１金属箔に電気的に接
続されて前記第１封止部から外部に突出する第１リード線と、前記第２金属箔に電気的に
接続されて前記第２封止部から外部に突出する第２リード線とを有する発光管を備える光
源装置であって、前記発光管の放電開始を補助するために前記第１封止部に接続されるト
リガー線をさらに有し、前記トリガー線は、前記管球部と前記第１封止部との境界部を第
１境界部としたとき、前記第１境界部から所定長さだけ離間した位置に一端側が接続され
、他端側が前記第２リード線に電気的に接続されることを特徴とする。
【００２２】
このような構成とすることにより、トリガー線は一本で済み、構成を簡素化することが
できる。また、本発明の光源装置の第２の態様においても、管球部と封止部との境界部か
ら所定長さだけ離間した位置にトリガー線を接続することによって、トリガー線が管球部
からの熱に直接的に晒されることを防止でき、経年変化による管球部及び封止部の変色及
び劣化を抑制するとともに、トリガー線を設けることによって得られる効果を長期間維持
することができる。
【００２３】
なお、本発明の光源装置の第２態様においても、前記第トリガー線の一端側が接続され
る位置は、前記第１境界部から前記第１封止部の端部までの長さを「Ｌ」としたとき、前
記第１境界部から略Ｌ／４以上離間した位置とすることが好ましい。
【００２４】
また、本発明の光源装置の第２態様においても、前記第１電極及び第２電極の間には、
１ＫＨｚから３ＭＨｚの周波数を有する交流波が与えられることが好ましい。
【００２５】
また、本発明の光源装置の第２態様においても、前記第１封止部に取り付けられて、前
記発光管から射出される光を被照明領域側に反射する主反射鏡をさらに有し、前記トリガ
ー線は、当該トリガー線の前記一端側と前記他端側との間の少なくとも一部が前記主反射
鏡の背面側を通るように配線されることが好ましい。
【００２６】
また、本発明の光源装置の第２態様においても、前記トリガー線の前記一端側が前記主
反射鏡の反射面側において前記第１封止部に接続されている場合、前記トリガー線は、前
記一端側から前記主反射鏡を貫通して前記主反射鏡の背面側を通って前記他端側が前記第
２リード線に接続されることが好ましい。
【００２７】
本発明のプロジェクターは、光源装置と、前記光源装置からの光を画像情報に基づいて
変調する光変調素子と、前記光変調素子によって変調された光を投写画像として投写する
投写光学系とを備えるプロジェクターであって、前記光源装置として、前記した本発明の
光源装置を用いたことを特徴とする。
【００２８】
本発明のプロジェクターによれば、光源装置として本発明の光源装置を用いているので
、トリガー線が管球部からの熱に直接的に晒されることを防止でき、経年変化による管球
部及び封止部の変色及び劣化を抑制するとともに、トリガー線を設けることによって得ら
れる効果を長期間維持することができ、それによって、信頼性の高いプロジェクターとす
ることができる。
【図面の簡単な説明】
【００２９】
【図１】発光管の点灯始動時において使用する交流パルスの一例を示す図。
【図２】発光管の放電開始に至るまでのプロセスを説明するための模式図。
【図３】トリガー線を設けた場合の効果を説明する図。
【図４】トリガー線の接続例について説明するための図。
【図５】一対の封止部のそれぞれにトリガー線を接続して点灯始動電圧を調べる実験について説明する図。
【図６】実施形態１に係る光源装置１０の構成を示す図。
【図７】実施形態１に係る光源装置１０を採用したプロジェクターＰＪの光学系の構成を示す平面図。
【図８】実施形態２に係る光源装置２０の構成を示す図。
【図９】実施形態３に係る光源装置３０の構成を示す図。
【図１０】実施形態４に係る光源装置４０の構成を示す図。
【発明を実施するための形態】
【００３０】
以下、本発明の実施形態について説明する。具体的な実施形態の説明に入る前にまずは
発光管の放電開始に至るプロセス及びトリガー線を設けることにより得られる効果などに
ついて説明する。
【００３１】
図１は、発光の点灯始動時において使用する交流パルスの一例を示す図である。ここで
述べる交流パルスというのは、図１に示すように、減衰する交流波がパルス状に繰り返さ
れる電圧（又は電力）である。図１において、ｔは交流波の１／４周期であり、Ｔは交流
パルスの繰り返し周期である。なお、交流波の周波数は、１ＫＨｚから３０ＭＨｚ程度と
し、好ましくは１０ＫＨｚから１０ＭＨｚである。交流波の周波数をこのような範囲とす
るのは、下記のような理由からである。
【００３２】
交流波を利用した発光管の点灯始動については、電極間のグロー放電が開始される前に
、一方の電極から管球部の内部の壁表面に沿った沿面放電が他方の電極に向かって発生し
、それがいわゆる種火となってグロー放電が開始されると考えられる。この沿面放電は単
位時間当たりの電圧変化（ｄＶ／ｄｔ）が大きいほど低電圧で進展が可能となるので、結
果として周波数が高いほど、低電圧で沿面放電の発生及び進展が可能となる。ただし、過
剰に高い周波数では、いわゆるインピーダンス整合の課題と、配線における寄生インピー
ダンス及び配線長の影響の問題があるので好ましくない。したがって、これらの点を考慮
して、交流波の周波数は１ＫＨｚから３０ＭＨｚ程度とし、より好ましくは１０ＫＨｚか
ら１０ＭＨｚである。
【００３３】
図２は、発光管の放電開始に至るまでのプロセスを説明するための模式図である。発光
管の放電開始に至るまでのプロセスは図２によって説明できると考えられる。図２におい
ては、光源装置の構成要素としては発光管１００のみが模式的に示されており、光源装置
としての他の構成要素は省略されている。
【００３４】
図２に示す発光管１００は、管球部１１０と、第１電極１２１及び第２電極１２２と、
第１電極１２１に電気的に接続されている第１金属箔１３１と、第２電極１２２に電気的
に接続されている第２金属箔１３２と、第１金属箔１３１を封止する第１封止部１４１と
、第２金属箔１３２を封止する第２封止部１４２とを有している。発光管１００は、これ
らの構成要素の他に、第１金属箔１３１及び第２金属箔１３２に電気的に接続されるそれ
ぞれのリード線なども有しているが、図２においてはこれらの構成要素についての図示は
省略されている。
【００３５】
図２（ａ）〜（ｃ）は発光管の放電開始に至るまでの各プロセスを示すものであり、あ
る周波数（５０ＫＨｚとしている。）の交流パルスを、例えば、第１電極１２１及び第２
電極１２２に印加した際のある１／４周期（図１における１／４周期ｔ）における状況を
示すものである。したがって、当該半周期のあとの１／４周期の状態（３／４周期）では
、電界や放電を示す矢印は図示において左右逆方向の状態となる。また、図２（ａ）〜（
ｃ）において、破線は等電位面を表している。また、図２（ａ）〜（ｃ）は模式図である
ので、電界を示す矢印の方向などは実際とは異なる場合もある。
【００３６】
図２（ａ）は第１電極１２１及び第２電極１２２に交流パルスを印加し始めた段階（初
期段階という。）を示すものである。この初期段階においては、電界は第１電極１２１及
び第２電極１２２の間及び管球部１１０を形成する石英ガラスなどの部材（管球部材とい
う。）内に生じるが、電束量としては管球部材の誘電率及び電場を垂直に切断した断面に
おける管球部材の断面積が第１電極１２１及び第２電極１２２の間の誘電率及び断面積よ
りも大きいため、大多数の電束が管球部材を経由している。
【００３７】
なお、電束量の量的な差としては、発光管１００の形状及び第１電極１２１及び第２電
極１２２の形状とその配置などにもよるが、管球部材を経由する電束量は第１電極１２１
及び第２電極１２２の間の電束量よりも１００倍程度多いと考えられる。また、図２（ａ
）の初期段階では、等電位面は、第１電極１２１及び第２電極１２２の間における左右方
向の中心においてほぼ左右対称となっている。
【００３８】
図２（ｂ）は図２（ａ）の初期段階から第１電極１２１及び第２電極１２２に印加する
電圧が徐々に上昇し、電圧の上昇に伴って管球部１１０の内部の壁面に沿面放電が進展し
始めた様子を示すものであり、グロー放電直前の状態である。沿面放電は管球部１１０の
内部の壁面上の気体が電離している状況であり、電位的には放電の基となる一方の電極（
第１電極１２１とする。）とほぼ同等の電位となるので、等電位面は、他方側の電極（第
２電極１２２）側に圧縮された状態となる。また、沿面放電が進展した部分からは管壁側
に電束が生じており、その電束が管球部材の中に向かって伸びて他方の電極側に向って行
く。このときの第１電極１２１と第２電極１２２との電極間における電気特性は容量性で
ある。
【００３９】
図２（ｃ）は図２（ｂ）の状態から第１電極１２１及び第２電極１２２に印加する電圧
をわずかに上昇させた場合であり、グロー放電特有の陽光柱が生じた状態（グロー放電開
始状態）を示している。図２（ｃ）の状態は、図２（ｂ）の状態に比較すると、印加電圧
は瞬時に降下するとともに電流が急上昇する。このときの第１電極１２１と第２電極１２
２との電極間における電気特性は定電圧特性である。
【００４０】
図３は、トリガー線を設けた場合の効果を説明する図である。図３においては、管球部
１１０と第２封止部１４２との境界部にトリガー線２１０が設けられた場合が例示されて
いる。なお、トリガー線２１０は、第２封止部１４２に所定の締め付け力によって巻回さ
れた状態で接続される。また、トリガー線２１０は第１電極１２１に電気的に接続されて
おり、第１電極１２１と同電位の関係にある。  
【００４１】
図３に示すように、トリガー線２１０が設けられると、トリガー線２１０の電位（第１
電極１２１の電位）によって図２（ｂ）で示した等電位面が第２電極１２２側にさらに圧
縮された状態となり、等電位面の偏りが、より大きくなる。このために沿面放電がさらに
進展し、それによってグロー放電への移行に必要な電圧（点灯始動電圧）を低下させるこ
とができると考えられる。これはトリガー線が放電開始を補助し、それによってグロー放
電への移行に必要な電圧を低下させることができること、すなわち、トリガー線を設ける
ことによって、点灯始動性の改善（点灯始動電圧の低電圧化）が可能となることを示すも
のである。
【００４２】
このように、発光管１００の点灯始動性を改善させるためにトリガー線２１０を設ける
ことは有効な手段であるが、トリガー線２１０の接続の仕方によって、点灯始動電圧の大
きさも異なってくる。
【００４３】
図４は、トリガー線の接続例について説明するための図である。図４（ａ）は発光管１
００にトリガー線が設けられていない状態を示すものである。図４（ａ）に示す発光管１
００は、管球部１１０と、第１電極１２１及び第２電極１２２と、第１電極１２１に電気
的に接続されている第１金属箔１３１と、第２電極１２２に電気的に接続されている第２
金属箔１３２と、第１金属箔１３１を封止するための第１封止部１４１と、第２金属箔１
３２を封止するための第２封止部１４２と、第１金属箔１３１に電気的に接続されて第１
封止部１４１の端部から外部に突出している第１リード線１５１と、第２金属箔１３２に
電気的に接続されて第２封止部１４２の端部から外部に突出している第２リード線１５２
とを有している。なお、発光管１００の構成は、図４（ｂ），（ｃ）においても同様であ
る。
【００４４】
図４（ｂ）は図４（ａ)に示す発光管１００にトリガー線２１０を設けた場合である。
トリガー線２１０は、一端側が管球部１１０と第１封止部１４１との境界部に巻回された
状態で接続され、他端部が第２封止部１４２から突出している第２リード線１５２に接続
された例を示している。
【００４５】
また、図４（ｃ）は図４（ａ)に示す発光管１００にトリガー線２１０，２２０を設け
た場合である。すなわち、図４（ｃ）は図４（ｂ）に示したトリガー線２１０に加えてト
リガー線２２０を設けたものである。以下では、トリガー線２１０を第１トリガー線２１
０、トリガー線２２０を第２トリガー線２２０と呼ぶことにする。
【００４６】
第１トリガー線２１０は、図４（ｂ）と同様に接続されている。一方、第２トリガー線
２２０は、一端側が管球部１１０と第２封止部１４２との境界部に巻回された状態で接続
され、他端部が第２封止部１４２から突出している第２リード線１５２に接続されている
。なお、図４（ｃ）においては、第１トリガー線２１０の他端側と第２トリガー線２２０
の他端側は、共通の線によって第２リード線１５２に接続されている例が示されている。
【００４７】
ここで、トリガー線を設けない場合（図４（ａ）参照。）の点灯始動電圧をＶｓとし、
第１トリガー線２１０のみを設けた場合（図４（ｂ）参照。）の点灯始動電圧をＶｓａと
し、第１トリガー線２１０及び第２トリガー線２２０の両方を設けた場合（図４（ｃ）参
照。）の点灯始動電圧をＶｓｂとすると、点灯始動電圧の大きさは、Ｖｓ＞Ｖｓａ＞Ｖｓ
ｂとなる。すなわち、トリガー線を設けない場合よりも、第１トリガー線２１０を設けた
場合の方が低い点灯始動電圧とすることができ、第１トリガー線２１０に加えて第２トリ
ガー線２２０を設けた場合は、さらに低い点灯始動電圧とすることができる。
【００４８】
これは、図４（ｃ）に示すような構成とした場合は、図３において説明した等電位面の
偏りが、さらに助長されるためであると考えられる。ただし、図４（ｃ）の場合は、管球
部１１０の両端側（管球部１１０と第１封止部１４１及び第２封止部１４２とのそれぞれ
の境界部）にそれぞれトリガー線（第１トリガー線２１０及び第２トリガー線２２０）が
巻回されることとなるため、管球部１１０の両端側においてそれぞれの封止部（第１封止
部１４１及び第２封止部１４２）が変色してしまうといった問題が発生する。
【００４９】
上述したように点灯始動電圧の改善という点を主に考えた場合には、図４（ｃ）が優れ
ているが、図４（ｂ）であっても点灯始動電圧を改善する効果は得られる。また、図４（
ｂ）及び図４（ｃ）のいずれの場合であっても、第１トリガー線２１０及び第２トリガー
線２２０は、それぞれ対応する封止部１４１，１４２に対して確実に締め付けられて巻回
された状態で接続される必要がある。また、沿面放電の進展時においては、管球部材を経
由して電束が進むので、第１トリガー線２１０の第１封止部１４１に対する接続位置及び
第２トリガー線２２０の第２封止部１４２に対する接続位置は、第１封止部１４１及び第
２封止部１４２の外側表面であれば特に限定されるのもではない。これらの点を踏まえて
、本発明者は、図５に示すような実験を行った。
【００５０】
図５は、一対の封止部のそれぞれにトリガー線を接続して点灯始動電圧を調べる実験に
ついて説明する図である。なお、図５は図４と同様に、２つのトリガー線（第１トリガー
線２１０及び第２トリガー線２２０）を設けた場合であり、図４と同一構成要素には図４
と同一符号が付されている。
【００５１】
図５（ａ）は第１トリガー線２１０を管球部１１０と第１封止部１４１との境界部Ａ１
（以下、第１境界部Ａ１という。）に接続し、第２トリガー線２１０を管球部１１０と第
２封止部１４２との境界部Ｂ１（以下、第２境界部Ｂ１という。）に接続した場合である
。なお、図５（ａ）は図４（ｃ）と同じ接続の仕方としたものである。
【００５２】
また、図５（ｂ）は第１トリガー線２１０を第１境界部Ａ１から所定長さだけ第１封止
部の端部Ａ４側に離間した位置Ａ２に接続し、第２トリガー線２２０を、第２境界部Ｂ１
から第２封止部１４２の端部Ｂ４側に所定長さだけ離間した位置Ｂ２に接続した場合であ
る。
【００５３】
また、図５（ｃ）は第１トリガー線２１０を位置Ａ２よりもさらに第１封止部の端部Ａ
４側の位置Ａ３に接続し、第２トリガー線２２０を位置Ｂ２よりもさらに第１封止部の端
部Ｂ４側の位置Ｂ３に接続した場合である。
【００５４】
図５（ａ）〜（ｃ）に示すように、第１トリガー線２１０及び第２トリガー線２２０の
封止部（第１封止部１４１及び第２封止部１４２）に対する接続位置を変えた場合の点灯
始動電圧を調べたところ、図５（ａ）における点灯始動電圧はＶａであり、図５（ｂ）に
おける点灯始動電圧はＶｂであり、図５（ｃ）における点灯始動電圧はＶｃであったとす
る。ここで、Ｖａ，Ｖｂ，Ｖｃの大きさの関係は、Ｖａ≦Ｖｂ≦Ｖｃであり、第１トリガ
ー線２１０及び第２トリガー線２２０が第１境界部Ａ１及び第２境界部Ｂ１から離れた位
置に接続されるほど、点灯移動電圧は大きくなる傾向にはあるが、ほぼ同程度かせいぜい
数％程度の差である。
【００５５】
一方、トリガー線を設けない場合（例えば、図４（ａ））の点灯始動電圧（Ｖｓとする
。）と、上記点灯始動電圧Ｖａ，Ｖｂ，Ｖｃとを比較すると、Ｖｓ＞Ｖａ、Ｖｂ、Ｖｃで
あった。但し、Ｖａ、Ｖｂ、Ｖｃの関係は、上記したようにＶａ≦Ｖｂ≦Ｖｃである。こ
の結果、図５（ａ）〜（ｃ）に示すようにトリガー線を設けた場合は、トリガー線を設け
ない場合に比べて、点灯始動電圧は１０％以上も改善（低下）させることができることが
確認できた。
【００５６】
以上の実験から、図５（ａ）〜（ｃ）に示すように、トリガー線を設けることによって
点灯始動電圧の改善（低電圧化）が可能となり、また、トリガー線の接続位置と点灯始動
電圧の大きさとの関係は、必ずしも、管球部１１０と封止部（第１封止部１４１及び第２
封止部１４２）との境界部（第１境界部Ａ１及び第２境界部Ｂ１）でなく、第１境界部Ａ
１及び第２境界部Ｂ１から離間した位置であっても、第１境界部Ａ１及び第２境界部Ｂ１
に接続した場合と大きな差がないことが確認できた。
【００５７】
したがって、第１トリガー線２１０及び第２トリガー線２２０を第１封止部１４１及び
第２封止部１４２に接続する際、管球部１１０の熱に直接的に晒される第１境界部Ａ１及
び第２境界部Ｂ１を避けて、第１境界部Ａ１及び第２境界部Ｂ１から所定長だけ離間した
位置に接続するようにしても、点灯始動電圧の改善が可能となる。
【００５８】
ここで、第１境界部Ａ１から第１封止部１４１の端部Ａ４までの長さ（以下、第１封止
部１４１の長手方向長さという。）及び第２境界部Ｂ１から第２封止部の端部Ｂ４までの
長さ（以下、第２封止部１４２の長手方向長さという。）をそれぞれＬとしたとき、第１
トリガー線２１０及び第２トリガー線２２０の接続位置は、第１境界部Ａ１及び第２境界
部Ｂ１からそれぞれ略Ｌ／４以上離間した位置とすることが好ましい。
【００５９】
なお、図５（ｂ）において、第１トリガー線２１０が第１封止部１４１に接続される位
置Ａ２は、第１境界部Ａ１から略Ｌ／４以上離間した位置とし、第２トリガー線２２０が
第２封止部１４１に接続される位置Ｂ２は、第２境界部Ｂ１から略Ｌ／４以上離間した位
置としている。
【００６０】
具体的には、第１封止部１４１及び第２封止部１４２の長手方向長さＬをそれぞれＬ＝
２０ｍｍとした場合は、位置Ａ２，Ｂ２は、第１境界部Ａ１及び第２境界部Ｂ１からそれ
ぞれ略５ｍｍの位置となる。したがって、図５（ｂ）においては、第１封止部１４１及び
第２封止部１４２の長手方向長さＬがＬ＝２０ｍｍである場合には、第１封止部１４１に
おいては、第１境界部Ａ１から略５ｍｍだけ離間している位置Ａ２に第１トリガー線２１
０が接続され、また、第２封止部１４２においては、第２境界部Ｂ１から略５ｍｍだけ離
間している位置Ｂ２に第２トリガー線２２０が接続されている。
【００６１】
一方、図５（ｃ）においては、第１トリガー線２１０及び第２トリガー線２２０は、図
５（ｂ）の場合よりも、第１境界部Ａ１及び第２境界部Ｂ１からさらに離間した位置Ａ３
，Ｂ３、すなわち、それぞれ対応する封止部（第１封止部１４１及び第２封止部１４２）
の端部Ａ４及び端部Ｂ４に近い位置に接続されている。
【００６２】
なお、図５（ａ）〜（ｃ）のいずれの場合も、第１トリガー線２１０は、その一端側が
第１封止部１４１に所定の締め付け力によって巻回された状態で接続され、他端側が第２
封止部１４２から突出されている第２リード線１５２に接続されている。また、第２トリ
ガー線２２０は、その一端側が第２封止部１４２に所定の締め付け力によって巻回された
状態で接続され、他端側が第２リード線１５２に接続されている。
【００６３】
ところで、第１トリガー線２１０及び第２トリガー線２２０の接続位置を、第１境界部
Ａ１及び第２境界部Ｂ１からそれぞれ略Ｌ／４以上離間した位置とすることが好ましいと
した理由は、下記のような理由によるものである。
【００６４】
すなわち、実験に用いた発光管１００の第１封止部１４１及び第２封止部１４２は、そ
れぞれの長さＬが約２０ｍｍであって、このような発光管１００において、管球部１１０
の直近（第１境界部Ａ１及び第２境界部Ｂ１とする。）の温度（α１とする。）と、第１
封止部１４１及び第２封止部１４２における長手方向各位置の外側表面温度とを比較した
ところ、第１境界部Ａ１及び第２境界部Ｂ１からＬ／４だけ離れた位置（位置Ａ２，Ｂ２
）では、温度α１に対して３０％程度低下することが確認された。
【００６５】
例えば、温度α１が仮に７００度であるとすると、位置Ａ２，Ｂ２では、５００度又は
５００度以下にまで温度が低下するので、この程度の温度であれば、第１トリガー線２１
０及び第２トリガー線２２０に与える影響を少なくすることができる。また、第１トリガ
ー線２１０及び第２トリガー線２２０の温度上昇が第１封止部１４１及び第２封止部１４
２を形成する部材（例えば、石英ガラス）に与える影響を小さくできるからである。なお
、上記した温度α１及び位置Ａ２，Ｂ２における温度の低下の度合いなどは、一例であっ
て、光源装置の出力の大きさや光源装置が有する冷却機能などによって異なる。
以上のような実験結果を踏まえて、以下に本発明の実施形態について説明する。
【００６６】
［実施形態１］
図６は、実施形態１に係る光源装置１０の構成を示す図である。実施形態１に係る光源
装置１０は、図６に示すように、発光管１００と主反射鏡としての楕円面リフレクター（
以下、リフレクターという。）２７０とを有している。発光管１００は、図４及び図５で
示した発光管１００と同様の構成であり、管球部１１０と、第１電極１２１及び第２電極
１２２と、第１金属箔１３１及び第２金属箔１３２と、第１封止部１４１及び第２封止部
１４２と、第１リード線１５１及び第２リード線１５２とを有している。なお、発光管１
００としては、たとえば、メタルハライドランプ、高圧水銀ランプ、超高圧水銀ランプな
どの高輝度発光する発光管を採用することができる。
また、管球部１１０は、例えば、石英ガラスからなり、その内部には、水銀、希ガス及
び少量のハロゲンが封入されている。
【００６７】
また、第１電極１２１及び第２電極１２２は、例えば、タングステン電極である。また
、第１金属箔１３１及び第２金属箔１３２は、例えば、モリブデン箔からなる。そして、
第１金属箔１３１の一端側は第１電極１２１に電気的に接続され、第２金属箔１３２の一
端側は第２電極１２２に電気的に接続されている。
【００６８】
また、第１封止部１４１及び第２封止部１４２は、例えば石英ガラスからなる。そして
、第１封止部１４１は第１金属箔１３１を封止し、第２封止部１４２は第２金属箔１３２
を封止する。また、第１リード線１５１及び第２リード線１５２は、モリブデン又はタン
グステンからなる。そして、第１リード線１５１は、その一端側が第１金属箔１３１に電
気的に接続され、他端側が第１封止部１４１の端部Ａ４から外部に突出している。また、
第２リード線１５２は、その一端側が第２金属箔１３２に電気的に接続され、他端側が第
２封止部１４２の端部Ｂ４から外部に突出している。
【００６９】
リフレクター２７０は、第１封止部１４１が挿通される挿通孔２７１と、発光管１００
からの光を被照明領域に反射する反射面２７２とを有する。そして、リフレクター２７０
は、挿通孔２７１に充填されたセメントなどの接着材２７３により第１封止部１４１に固
定される。
【００７０】
そして、第１封止部１４１の位置Ａ２には第１トリガー線２１０の一端側が所定の締め
付け力によって巻回された状態で接続され、第２封止部１４２の位置Ｂ２には第２トリガ
ー線２２０の一端側が所定の締め付け力によって巻回された状態で接続されている。また
、第１トリガー線２１０の他端側は、第２封止部１４２から突出されている第２リード線
１５２に電気的に接続され、第２トリガー線２２０の他端側も第２封止部から突出されて
いる第２リード線１５２に電気的に接続されている。
【００７１】
なお、第１トリガー線２１０が接続される位置Ａ２は、第１封止部１４１において図５
（ｂ）と同様に、第１境界部Ａ１から略Ｌ／４だけ離間した位置となるように設定されて
いる。また、第２トリガー線２２０が接続される位置Ｂ２は、第２封止部１４２において
図５（ｂ）と同様に、第１境界部Ｂ１から略Ｌ／４だけ離間した位置となるように設定さ
れている。
【００７２】
ところで、第１トリガー線２１０は、一端側が第１封止部１４１に接続され、他端側が
第２封止部１４２から突出される第２リード線１５２に接続されるため、管球部１１０を
跨いで配線されることとなるが、実施形態１に係る光源装置１０においては、第１トリガ
ー線２１０は、図６に示すように、第１トリガー線２１０の中途部（第１トリガー線２１
０の一端側と他端側との間の少なくとも一部）がリフレクター２７０の背面側を通るよう
に配線される。
【００７３】
第１トリガー線２１０をこのように配線するためには、リフレクター２７０の一部には
第１トリガー線２１０を通すための貫通孔が必要となるが、実施形態１に係る光源装置１
０においては、リフレクター２７０と第１封止部１４１との接合部（接着材２７３が充填
される部分）となる挿通孔２７１を利用し、この挿通孔２７１に第１トリガー線２１０を
通すような構成とする。
【００７４】
すなわち、第１トリガー線２１０は、例えば、一端側を第１封止部１４１に巻回させて
接続させたのち、他端側をリフレクター２７０の反射面側から挿通孔２７１を通してリフ
レクター２７０の背面側に出して、第２封止部１４２の第２リード線１５２に接続するよ
うにしてもよく、また、他端側を第２封止部１４２の第２リード線１５２に接続したのち
、一端側をリフレクター２７０の背面側から挿通孔２７１を通して第１封止部１４１に巻
回させて接続するようにしてもよい。なお、第１トリガー線２１０の配線の手順はこれら
の例に限られるものではない。
【００７５】
実施形態１に係る光源装置１０においては、第１トリガー線２１０及び第２トリガー線
２２０は、第１封止部１４１及び第２封止部１４２それぞれにおいて、図５（ｂ）と同様
に、第１境界部Ａ１及び第２境界部Ｂ１からそれぞれ略Ｌ／４だけ離間した位置Ａ２，Ｂ
２を接続位置としている。このため、第１トリガー線２１０及び第２トリガー線２２０が
管球部１１０の熱に直接的に晒されることがなく、第１トリガー線２１０及び第２トリガ
ー線２２０の劣化を抑制することができる。なお、第１境界部Ａ１及び第２境界部Ｂ１か
ら略Ｌ／４だけ離間した位置における温度は、図５に示す実験によれば、前述したように
、管球部１１０の直近の温度α１よりも３０％以上低下した温度となることが確認されて
いる。
【００７６】
このため、第１トリガー線２１０及び第２トリガー線２２０が高温となることによる管
球部１１０及び封止部（第１封止部１４１及び第２封止部１４２）の変色及び劣化を抑制
することができる。
【００７７】
また、第１トリガー線２１０、第２トリガー線２２０、第１封止部１４１及び第２封止
部１４２の熱膨張／収縮を極力抑えることができるので、第１トリガー線２１０及び第２
トリガー線２２０の締め付け状態が変化してしまうといったことを防ぐことができる。そ
れにより、トリガー線を設けることによって得られる効果を長期間維持することができる
。
【００７８】
また、実施形態１に係る光源装置１０においては、第１トリガー線２１０は、一端側と
他端側との間の少なくとも一部がリフレクター２７０の背面側を通るように配線されてい
るため、光源装置１０の点灯時において、第１トリガー線２１０が管球部１１０の熱に直
接的に晒されることがなくなり、また、第１トリガー線２１０は管球部１１０から離れた
位置となるので、管球部１１０の表面を這うように配線される場合に比べて、管球部１１
０から射出される光を阻害することを極力防止でき、それによって光の損失を小さくする
ことができる。
【００７９】
なお、第１トリガー線２１０を図６に示すようにリフレクター２７０の背面側を通すよ
うに配線すると、配線の長さ（配線長という。）は、第１トリガー線２１０を管球部１１
０の表面を這わすように配線する場合に比べて長くなるが、プロジェクターなどの光源装
置１０においては、第１トリガー線２１０の配線長は、せいぜい１０数ｃｍであり、始動
電圧の交流波が仮に３０ＭＨｚというような高周波であったとしても、当該交流波の１／
２波長は約５ｍであるため、第１トリガー線２１０の１０数ｃｍという配線長は電気特性
上何ら問題となるものではない。
【００８０】
図７は、実施形態１に係る光源装置１０を採用したプロジェクターＰＪの光学系の構成
を示す平面図である。実施形態１に係るプロジェクターＰＪは、図７に示すように、赤色
光（Ｒ）、緑色光（Ｇ）及び青色光（Ｂ）を含む光を射出する照明装置３００と、色分離
導光光学系４００と、ＲＧＢの各色に対応した光変調素子５００Ｒ，５００Ｇ，５００Ｂ
と、クロスダイクロイックプリズム６００と、投写光学系７００とを有する。なお、実施
形態１に係るプロジェクターＰＪにおいては、光変調素子５００Ｒ，５００Ｇ，５００Ｂ
は、液晶を用いた光変調素子であるとする。
【００８１】
照明装置３００は、図６に示した光源装置１０と、凹レンズ３１０と、第１レンズアレ
イ３２０と、第２レンズアレイ３３０と、偏光変換装置３４０と、重畳装置３５０とを有
している。
【００８２】
色分離導光光学系４００は、ダイクロイックミラー４１０，４２０と、反射ミラー４３
０，４４０，４５０と、リレーレンズ４６０，４７０と、集光レンズ４８０Ｒ，４８０Ｇ
，４８０Ｂとを有する。
【００８３】
なお、図示を省略したが、光変調素子５００Ｒ，５００Ｇ，５００Ｂの入射側には入射
側偏光板が設けられるとともに、光変調素子５００Ｒ，５００Ｇ，５００Ｂの射出側には
射出側偏光板が設けられる。
【００８４】
このような構成を有するプロジェクターＰＪにおいて、光源装置１０から発せられた光
は、凹レンズ３１０、第１レンズアレイ３２０、第２レンズアレイ３３０、偏光変換装置
３４０及び重畳装置３５０を通過したのち、色分離導光光学系４００によってＲＧＢのそ
れぞれの色光に分離されたのち、これらＲＧＢの各色光はそれぞれ対応する光変調素子５
００Ｒ，５００Ｇ，５００Ｂに入射される。そして、光変調素子５００Ｒ，５００Ｇ，５
００Ｂでは、画像データに基づいて各色光を変調し、ＲＧＢの各画像光を形成する。光変
調素子５００Ｒ，５００Ｇ，５００Ｂで形成されたＲＧＢの各画像光は、クロスダイクロ
イックプリズム６００で合成されたのち、投写光学系７００によってスクリーンＳＣＲ上
にカラー画像として投写される。
【００８５】
このようなプロジェクターＰＪにおいて、光源装置として図６に示すような光源装置１
０を採用することによって、光源装置１０の点灯始動電圧の改善が図れ、かつ、光源装置
１０の耐久性を向上させることができるので、結果として、信頼性の高いプロジェクター
とすることができる。
【００８６】
すなわち、プロジェクターＰＪの光源装置として図６に示すような光源装置１０を採用
することによって、第１トリガー線２１０及び第２トリガー線２２０が設けられることに
よる点灯始動電圧の改善（点灯始動電圧の低電圧化）が図れる。また、第１トリガー線２
１０及び第２トリガー線２２０が管球部１１０からの熱に直接的に晒されることを防止で
き、経年変化による管球部１１０及び封止部の変色及び劣化を抑制するとともに、トリガ
ー線を設けることによって得られる効果を長期間維持することができる。
【００８７】
また、第１トリガー線２１０は、図６に示すようにリフレクター２７０の背面側を通る
ように配線されるので、光源装置１０の点灯時において、第１トリガー線２１０が管球部
１１０の熱に直接的に晒されることがなくなり、また、管球部１１０から射出される光を
阻害することを極力防止でき、光の損失を小さくすることができる。
【００８８】
なお、図７に示すプロジェクターＰＪは、その光源装置として、実施形態１に係る光源
装置１０だけではなく、後述する実施形態２に係る光源装置２０、実施形態３に係る光源
装置３０及び実施形態４に係る光源装置４０を採用することも可能である。
【００８９】
［実施形態２］
図８は、実施形態２に係る光源装置２０の構成を示す図である。実施形態２に係る光源
装置２０は、光源装置２０としての基本的な構成は実施形態１に係る光源装置１０（図６
参照。）と同じである。実施形態２に係る光源装置２０が実施形態１に係る光源装置１０
と異なるのは、第１封止部１４１のみに第１トリガー線２１０を接続した点であり、実施
形態１に係る光源装置１０と同一構成要素には同一符号が付されている。
【００９０】
図８に示すような実施形態２に係る光源装置２０とした場合であっても点灯始動電圧を
改善する効果は得られる。なお、点灯始動電圧の改善という点のみで考えた場合には、実
施形態１に係る光源装置１０の方がやや優れるが、実施形態２に係る光源装置２０におい
ては、トリガー線は第１トリガー線２１０のみで済むことから構成を簡素化することがで
きる効果が得られるとともに、第２封止部１４２の側においてはトリガー線（第２トリガ
ー線２２０）が不要となるため、トリガー線が設けられることによる封止部の劣化などに
ついて何ら考慮する必要がないといった効果も得られる。
【００９１】
なお、実施形態２に係る光源装置２０を図７に示したプロジェクターＰＪの光源装置と
して採用することによっても、光源装置の点灯始動電圧の改善が図れ、かつ、光源装置の
耐久性を向上させることができるので、結果として、信頼性の高いプロジェクターとする
ことができる。
【００９２】
［実施形態３］
上記実施形態１では、第１トリガー線２１０の第１封止部１４１に対する接続位置及び
第２トリガー線２２０の第２封止部１４２に対す接続位置は、第１境界部Ａ１及び第２境
界部Ｂ１からそれぞれ略Ｌ／４とした場合を例示したが、第１封止部１４１及び第２封止
部１４２上であれば他の位置であってもよい。例えば、図６に示す光源装置１０ように、
第１封止部１４１の端部Ａ４がリフレクター２７０の背面側に突出した状態に設けられる
光源装置においては、図６における第１封止部１４１の突出部（リフレクター２７０の背
面側から突出している部分）に接続することも可能である。
【００９３】
図９は、実施形態３に係る光源装置３０の構成を示す図である。実施形態３に係る光源
装置３０は、実施形態１に係る光源装置１０（図６参照。）と同様に、第１封止部１４１
及び第２封止部１４２の両方にトリガー線（第１トリガー線２１０及び第２トリガー線２
２０）を設けた場合を例にとって説明する。なお、実施形態３に係る光源装置３０におけ
る第１トリガー線２１０及び第２トリガー線２２０の接続の仕方は、図５（ｃ）と同様で
ある。すなわち、第１トリガー線２１０は第１封止部１４１の端部Ａ４に近い位置Ａ３に
接続し、第２トリガー線２２０は第２封止部１４２の端部Ｂ４に近い位置Ｂ３に接続した
場合である。
【００９４】
実施形態３に係る光源装置３０は、第１トリガー線２１０及び第２トリガー線２２０を
このように接続することにより、図９に示すように、第１トリガー線２１０は、リフレク
ター２７０の背面側から突出している第１封止部１４１の突出部１４１ａに接続されてい
る。このような構成とすることによっても、図５（ｃ）において説明したように、点灯始
動電圧の改善は図れる。なお、このとき第２トリガー線２２０は第２封止部１４２の位置
Ｂ２でもよく、光源装置３０の始動の状況により適切に設定することが好ましい。
【００９５】
また、実施形態３に係る光源装置３０は、図９のような構成とすることにより、第１ト
リガー線２１０は、その一端側がリフレクター２７０の背面側で第１封止部１４１に接続
されているので、他端側を第２封止部１４２の第２リード線１５２に接続する際は、リフ
レクター２７０を貫通させることなく第２リード線１５２に接続することができる。この
ため、製造工程を簡素化することができる。また、リフレクター２７０の背面側において
は、管球部１１０の熱の影響はより小さくなるため、第１トリガー線２１０が受ける管球
部１１０の熱の影響をより小さなものとすることができる。
【００９６】
なお、実施形態３に係る光源装置３０を図７に示したプロジェクターＰＪの光源装置と
して採用することによっても、光源装置の点灯始動電圧の改善が図れ、かつ、光源装置の
耐久性を向上させることができるので、結果として、信頼性の高いプロジェクターとする
ことができる。
【００９７】
［実施形態４］
図１０は、実施形態４に係る光源装置４０の構成を示す図である。実施形態４に係る光
源装置４０は、図１０に示すように、副反射鏡２８０を有する光源装置である。なお、図
１０に示す光源装置４０は、副反射鏡２８０が設けられている点が実施形態１に係る光源
装置１０と異なるだけであり、その他の構成要素は、実施形態１に係る光源装置１０同じ
であるので、実施形態１に係る光源装置１０と同一構成要素には同一符号が付されている
。
【００９８】
実施形態４に係る光源装置４０においては、第２トリガー線２２０が第２封止部１４２
に接続される位置は、副反射鏡２８０の背面側となるようにする。なお、図１０において
は、第２トリガー線２２０が接続される位置は、実施形態１に係る光源装置１０と同様、
第２境界部Ｂ１から略Ｌ／４の位置Ｂ２としているが、これは、図１０における光源装置
４０においては、第２境界部Ｂ１から略Ｌ／４の位置Ｂ２が、たまたま、副反射鏡２８０
の背面側に近接した位置に存在している場合となっているためである。したがって、光源
装置の種類によっては、副反射鏡２８０の背面側の位置が第２境界部Ｂ１から略Ｌ／４の
位置とはならない場合もあるが、その場合は、副反射鏡２８０の取り付け位置に応じて、
最適な位置を設定することが可能である。
【００９９】
第２トリガー線２２０の第２封止部１４２に対する接続位置を図１０に示すように副反
射鏡２８０の背面側とすることにより、第２トリガー線２２０が受ける管球部１１０の熱
の影響をより小さくすることができる。これは、副反射鏡２８０の背面側においては、よ
り低い温度（例えば、２００度以下）にまで低下するためである。
【０１００】
また、実施形態４に係る光源装置４０においても、実施形態３に係る光源装置３０と同
様に、第１トリガー線２１０をリフレクター２７０の背面側（第１封止部１４１の突出部
１４１ａ）に接続するような構成とすれば、第２トリガー線２２０のみならず、第１トリ
ガー線２１０が受ける管球部１１０の熱の影響をより小さくすることができる。
【０１０１】
なお、実施形態４に係る光源装置４０を図７に示したプロジェクターＰＪの光源装置と
して採用することによっても、光源装置の点灯始動電圧の改善が図れ、かつ、光源装置の
耐久性を向上させることができるので、結果として、信頼性の高いプロジェクターとする
ことができる。
【０１０２】
なお、本発明は上記各実施形態に限られるものではなく、本発明の要旨を逸脱しない範
囲で種々変形実施可能となるものである。例えば、下記（１）に示すような変形実施も可
能である。
【０１０３】
（１）上記各実施形態では、第１トリガー線２１０及び第２トリガー線２２０（ただし
、第２トリガー線２２０は実施形態２においては設けられていない。）が第１封止部及び
第２封止部に接続される位置Ａ２，Ｂ２は、第１境界部Ａ１及び第２境界部Ｂ１からそれ
ぞれ略Ｌ／４の位置とした場合を例示したが、必ずしも略Ｌ／４の位置とする必要はなく
、光源装置の出力の大きさや型式など光源装置の種類によって最適な位置Ａ２，Ｂ２を設
定することができる。例えば、光源装置の種類ごとに、点灯時における封止部の長手方向
における各位置の温度を測定し、第１トリガー線２１０及び第２トリガー線２２０が熱に
よるダメージを受けにくい温度となるような位置を光源装置の種類ごとに設定して、設定
した位置を当該光源装置における位置Ａ２及び位置Ｂ２とすることができる。
【符号の説明】
【０１０４】
１０，２０，３０，４０・・・光源装置、１００・・・発光管、１１０・・・管球部、
１２１・・・第１電極、１２２・・・第２電極、１３１・・・第１金属箔、１３２・・・
第２金属箔、１４１・・・第１封止部、１４２・・・第２封止部、１５１・・・第１リー
ド線、１５２・・・第２リード線、２１０・・・第１トリガー線、２２０・・・第２トリ
ガー線、２７０・・・リフレクター（主反射鏡）、２８０・・・副反射鏡、Ａ１・・・第
１境界部、Ｂ１・・・第２境界部、Ａ２，Ｂ２，Ａ３，Ｂ３・・・位置（第１トリガー線
２１０及び第２トリガー線を接続する位置）、Ａ４・・・第１封止部の端部、Ｂ４・・・
第２封止部の端部、ＰＪ・・・プロジェクター
【図１】
2011138714.tif 000003
【図２】
2011138714.tif 000004
【図３】
2011138714.tif 000005
【図４】
2011138714.tif 000006
【図５】
2011138714.tif 000007
【図６】
2011138714.tif 000008
【図７】
2011138714.tif 000009
【図８】
2011138714.tif 000010
【図９】
2011138714.tif 000011
【図１０】
2011138714.tif 000012